(57)【要約】      （修正有）【課題】倒れにくく、場所を取らず、玄関や入口を濡らすことなく、濡れた傘と乾いた傘を同じ傘立てに収納しても、乾いた傘に濡れた傘の水滴が付着しにくい傘立てを提供する。【解決手段】突っ張り棒１は、上端が天井に接するスライド軸２と、床に接して自立する回転軸３を有する。フック５ａ、５ｂ、５ｃ、５ｄおよび５ｅと、保持板６ａ、６ｂ、６ｃ、６ｄおよび６ｅは、それぞれ固定軸３に螺旋状に配置して取り付けられている。また、保持板６ａ、６ｂ、６ｃ、６ｄおよび６ｅは、フック５ａ、５ｂ、５ｃ、５ｄおよび５ｅで支持された傘の軸芯が固定軸３の軸芯を含む平面内に収まるように傘の姿勢を矯正することによって、傘の先端部と固定軸３の距離を最小とし、占有空間を縮減し、かつ傘先端部から滴下する水の回収を容易とする。【選択図】図１
0003152157.tif 000002
【実用新案登録請求の範囲】
【請求項１】
一端を天井に他端を床に接して自立する突っ張り棒に、傘を支持するフックを螺旋状に配置したことを特徴とする傘立て。
【請求項２】
請求項１の傘立てにおいて、該突っ張り棒の軸を含む平面内に傘の軸芯が含まれるように傘を側面から保持する保持板を設けたことを特徴とする傘立て。
【請求項３】
請求項２の傘立てにおいて、該突っ張り棒の床側近傍に、傘から滴下する水滴を受ける水滴受け皿を設け、該水滴受け皿の水を集める透明または半透明の材質から成る水滴回収容器を、マグネットを用いて着脱容易となるように設けたことを特徴とする傘立て。
【請求項４】
請求項２の傘立てにおいて、一端を該突っ張り棒に固定され、他端をホック、マグネット等の取り付け方法によって該保持板に取り付けられるようにした保持シートを設けたことを特徴とする傘立て。
【考案の詳細な説明】
【技術分野】
【０００１】  この考案は、玄関や家屋または事業所の入口に設置する傘立てに関する。
【背景技術】
【０００２】  従来、玄関に置いている傘立ては、床置きタイプが殆どであり、アパートやマンションの狭い玄関では場所を取るだけでなく、出入りの際に接触すると倒れるという不具合があった。【０００３】  また、雨の続く日には、傘に付着した水が滴下して玄関が濡れ、室内の湿度が上がるだけでなく、乾いた傘と濡れた傘を同じ傘立てに入れると、乾いた傘まで濡れた傘の水滴が付着してしまうという不具合があった。【０００４】  一般の家庭でよく見かける主婦の対応としては、濡れた傘をベランダや風呂場で広げて乾かし、濡れた傘と乾いた傘を分離することである。【０００５】  しかし、最近ではベランダで干していた傘が風に煽られて飛び、人に怪我をさせるという事故もあって、ベランダでは干せなくなっているし、雨が続く場合にはベランダで傘を干すことはできない。また、風呂場に干すにも入浴の邪魔になる。【０００６】  上述したように、核家族の多い近年では、アパートの狭い玄関に設置する傘立てには不具合が多く、こうした不便の中での生活を強いられている。
【考案の開示】
【考案が解決しようとする課題】
【０００７】  本考案は、上述したような不具合に鑑みてなされたもので、場所を取らず、倒れにくく、玄関を濡らすことなく、濡れた傘と乾いた傘を同じ傘立てに収納しても、乾いた傘に濡れた傘の水滴が付着しにくい傘立てを提供することを目的とする。
【課題を解決するための手段】
【０００８】  本考案の請求項１によると、一端を天井に他端を床に接して自立する突っ張り棒に、傘を支持するフックを螺旋状に配置したことを特徴とする。【０００９】  また、本考案の請求項２によると、該突っ張り棒の軸を含む平面内に傘の軸芯が含まれるように傘を側面から保持する保持板を設けたことを特徴としている。【００１０】  また、本考案の請求項３によると、該突っ張り棒の床側近傍に、傘から滴下する水滴を受ける水滴受け皿を設け、該水滴受け皿の水を集める透明または半透明の材質から成る水滴容器を、マグネットを用いて着脱容易に設けたことを特徴とする。【００１１】  また、本考案の請求項４によると、一端を該突っ張り棒に固定され、他端をホック、マグネット等の取り付け手段によって該保持板に取り付けられるようにした保持シートを設けたことを特徴としている。
【考案の効果】
【００１２】  本考案の請求項１で示した、一端を天井に他端を床に接して自立する突っ張り棒に、傘を支持するフックを螺旋状に配置するという手段によって、場所を取らず、倒れにくい傘立てを実現している。【００１３】  一般に、傘をフックで吊るしただけでは、重力のバランスによって、傘の軸芯は鉛直線にたいして傾く。しかし、本考案の請求項２で示した、該突っ張り棒の軸を含む平面内に傘の軸芯が含まれるように傘を側面から保持する保持板を設けるという手段によって、傘の軸芯は該突っ張り棒の軸を含む平面内に含まれるようになり、該突っ張り棒に対して傘の先端が接近し、より占有空間が狭くなる。【００１４】  また、傘の先端部と該突っ張り棒の軸との距離が小さくなり、濡れた傘から滴下する水滴を集めやすくなり、本考案の請求項３で示した水滴回収手段によって、玄関を濡らすことなく、濡れた傘の水滴を回収しやすくなる。【００１５】  本考案の請求項４で示した、一端を該突っ張り棒に固定され、他端をホック、マグネット等の取付方法によって該保持板に取り付けられるようにした保持シートを設けるという手段によって、傘の直径の大きい部分において、隣接する傘の間に隔壁が設けられて、濡れた傘の水滴が隣接する乾いた傘に対して付着しにくくしている。
【考案を実施するための最良の形態】
【００１６】  以下に図面を参照して本考案に係わる実施例の形態を詳細に説明する。
以下、本考案に基づく３つの実施例を図１、図２、図３および図４に従って説明する。
【第一の実施例】
【００１７】  図１において、突っ張り棒１は、上端部が天井に接するスライド軸２と下端部が床に接する固定軸３、およびスライド軸を押し出して天井と床の間に突っ張り力を与えるための調整機構４とで構成されている。
【００１８】  フック５ａ、５ｂ、５ｃ、５ｄ、および５ｅは、固定軸３の軸方向に対しては一定間隔で、また取り付け位相角度は７２°間隔で、固定軸３に対して螺旋状に取り付けられている。
【００１９】  同様に、保持板６ａ、６ｂ、６ｃ、６ｄ、および６ｅは、固定軸３の軸方向に対しては一定間隔で、また取り付け位相角度は７２°間隔で、固定軸３に対して螺旋状に取り付けられている。
【００２０】  ここで、フック５ａ、５ｂ、５ｃ、５ｄ、および５ｅと保持板６ａ、６ｂ、６ｃ、６ｄ、および６ｅの位置関係および保持板の作用を図２で説明する。
【００２１】  図２（ａ）に示すように保持板がない場合、フック５ａで支持された傘７は重力のバランスによって傾き、傘の先端部８は固定軸３から離れた位置となる。
【００２２】  同図（ｂ）で示すように、保持板６ａは、傘７の半径の最も大きくなる近傍の軸方向位置に取り付けられ、傘７の軸芯９が固定軸３の軸芯を含む平面１０に含まれる姿勢となるように傘７の姿勢を矯正する。これによって、傘の先端部８は固定軸３に対して最も接近した位置となる。
【００２３】  すなわち、図１および図２で示した本考案の第一の実施例によると、先ず突っ張り棒１を天井と床の間で自立させ、この突っ張り棒に傘を支持するフックを螺旋状に取り付けているので、倒れにくく、かつ占有空間の小さい傘立てを実現している。
【００２４】  さらに、保持板６ａ、６ｂ、６ｃ、６ｄ、および６ｅの作用によって、傘の先端部が固定軸３に最も接近する姿勢となり、占有空間をさらに小さくしている。また、濡れた傘の先端部から滴下する水滴も固定軸３の近くとなるので、水滴も回収しやすくしている。
【第二の実施例】
【００２５】  図３に示す第二の実施例の傘立ては、保持シート１１ａ、１１ｂ、１１ｃ、１１ｄ、および１１ｅと、マグネットキャッチ１２ａ、１２ｂ、１２ｃ、１２ｄ、および１２ｅを追加したこと以外は、図１で示した第一の実施例と同じ構造をしている。
【００２６】  図３において、保持シート１１ａ、１１ｂ、１１ｃ、１１ｄ、および１１ｅは三角形の頂点を丸めた形状をしており、その丸めた頂点は、それぞれ保持板６ａ、６ｂ、６ｃ、６ｄ、および６ｅに対して、それぞれマグネットキャッチ１２ａ、１２ｂ、１２ｃ、１２ｄ、および１２ｅによって着脱容易に付着されている。また、保持シート１１ａ、１１ｂ、１１ｃ、１１ｄ、および１１ｅの底辺は、それぞれ固定軸３に固定されている。
【００２７】  フックで上端部を支持された傘は、該保持シートで最適な姿勢に矯正された上で、該保持シート１１ａ、１１ｂ、１１ｃ、１１ｄ、および１１ｅで包まれて保持されるようになっている。
【００２８】  該保持シートは、隣接する傘を分離する隔壁として作用し、濡れた傘が隣接する乾いた傘に対して、水滴を付着させにくいようにしている。
【第三の実施例】
【００２９】  図４に示す第二の実施例の傘立ては、水滴受け皿１３、水滴回収容器１４およびマグネットキャッチ１５を追加したこと以外は、図３で示した第二の実施例と同じ構造をしている。
【００３０】  図４において、固定軸３の床側下端近傍には、水滴受け皿１３が設けられており、また固定軸の下端と水滴受け皿１３の間には水滴回収容器１４が取り付けられている。
【００３１】  水滴受け皿１３と水滴回収容器１４は透明または半透明の樹脂を材料として製作されており、水滴回収容器１４に溜まった水の状況が観察しやすいようにしている。
【００３２】  水滴回収容器１４は固定軸３に対してマグネットキャッチ１５を介して取り付けられているので、水滴回収容器１４に水が溜まった場合の取り外しが容易である。
【００３３】  すなわち、玄関を濡らすことなく、濡れた傘から滴下する水を回収することができる。
【図面の簡単な説明】
【００３４】
【図１】は、本考案に基づく第一の実施例の傘立ての構成を示す図。
【図２】は、本考案に基づく第一の実施例における保持板の作用を説明する図。
【図３】は、本考案に基づく第二の実施例の傘立ての構成を示す図。
【図４】は、本考案に基づく第三の実施例の傘立ての構成を示す図。
【符号の説明】１            突っ張り棒
２            固定軸
３            スライド軸
４            突っ張り力を与えるための調整機構
５ａ、５ｂ、５ｃ、５ｄ、５ｅ            フック
６ａ、６ｂ、６ｃ、６ｄ、６ｅ            保持板
７            傘
８            傘の先端部
９            傘の軸芯
１０          固定軸の軸芯を含む平面
１１ａ、１１ｂ、１１ｃ、１１ｄ、１１ｅ  保持シート
１２ａ、１２ｂ、１２ｃ、１２ｄ、１２ｅ  マグネットキャッチ
１３          水滴受け皿
１４          水滴回収容器
１５          マグネットキャッチ
【図１】
0003152157.tif 000003
【図２】
0003152157.tif 000004
【図３】
0003152157.tif 000005
【図４】
0003152157.tif 000006